(57)【要約】【課題】  本発明はハンドミキサーを持ちながら攪拌する場合であっても効率良く短時間で攪拌作業が終了することができて、ハンドミキサーの重さが主婦等の負担にならないハンドミキサー及びそのアタッチメントを提供することを目的とする。さらに、本発明は比較的底が浅く上面が広く形成されたボウルのような攪拌容器で攪拌するときも被攪拌物を効率的に満遍なく攪拌できるハンドミキサー及びそのアタッチメントを提供することを目的とする。【解決手段】  アタッチメントは、駆動装置に連結される回転軸と、該回転軸に取付けられた少なくとも２つの攪拌羽根とを含み、各攪拌羽根はその上端部と下端部の間の途中部分が回転軸線から離れるように膨出し、且つ各攪拌羽根はその上端部が下端部に対して回転軸線を中心に所定角度回転させたようにねじれている。【選択図】  図１
2005168559.tif 000002
【特許請求の範囲】
【請求項１】
駆動装置に連結される回転軸と、該回転軸に取付けられた少なくとも２つの攪拌羽根とを含み、各攪拌羽根はその上端部と下端部の間の途中部分が回転軸線から離れるように膨出し、且つ各攪拌羽根はその上端部が下端部に対して回転軸線を中心に所定角度回転させたようにねじれていることを特徴とするハンドミキサーのアタッチメント
【請求項２】
各攪拌羽根のねじれ方向は同じである請求項１記載のアタッチメント
【請求項３】
２つの攪拌羽根が一つの環状体をなし、その環状体の径方向に延びる回転軸線を中心にその２つの攪拌羽根が対称的に形成されている請求項１又は請求項２記載のアタッチメント
【請求項４】
攪拌羽根のねじれの所定回転角度は１０〜１００度である請求項１乃至請求項３記載のアタッチメント
【請求項５】
攪拌羽根は非ねじれ部を有し、この非ねじれ部は攪拌羽根の上端部及び下端部から外方に所定の長さで延びており、両非ねじれ部の間の攪拌主部がねじれることにより攪拌羽根がねじれている請求項１乃至請求項４記載のアタッチメント
【請求項６】
非ねじれ部は外方に水平に延びている請求項５記載のアタッチメント
【請求項７】
攪拌羽根を有する２つのアタッチメントを取付けたハンドミキサーであって、各アタッチメントはそれぞれに少なくとも２つの攪拌羽根が取付けられ、各攪拌羽根はその上端部と下端部の間の途中部分が回転軸線から離れるように膨出し、且つ各攪拌羽根はその上端部が下端部に対して回転軸線を中心に所定角度回転させたようにねじれているハンドミキサー
【請求項８】
攪拌羽根はそれが取付けられている１つのアタッチメントについてはすべて同じ方向にねじれている請求項７記載のハンドミキサー
【請求項９】
２つのアタッチメントの攪拌羽根のねじれ方向が異なっている請求項８記載のハンドミキサー
【請求項１０】
２つのアタッチメントの攪拌羽根のねじれ方向が同じである請求項８記載のハンドミキサー
【請求項１１】
アタッチメントに取付けられた２つの攪拌羽根が一つの環状体に形成され、その環状体の径方向に延びる回転軸線の両側に２つの攪拌羽根が形成される請求項７乃至請求項１０記載のハンドミキサー
【請求項１２】
攪拌羽根のねじれの所定回転角度は１０〜１００度である請求項７乃至請求項１１記載のハンドミキサー
【請求項１３】
攪拌羽根は非ねじれ部を有し、この非ねじれ部は攪拌羽根の上端部及び下端部から外方に所定の長さで延びており、両非ねじれ部の間の攪拌主部がねじれることにより攪拌羽根がねじれている請求項７乃至請求項１２記載のハンドミキサー
【請求項１４】
非ねじれ部が外方に水平に延びている請求項１３記載のハンドミキサー
【請求項１５】
２つのアタッチメントはそれぞれ同数の攪拌羽根を有する請求項７乃至請求項１４記載のハンドミキサー
【請求項１６】
２つのアタッチメントのそれぞれの攪拌羽根の回転域が部分的に共通し、共通回転域において一方の回転羽根は他方の２つの回転羽根の間に入るように回転する請求項７乃至請求項１５記載のハンドミキサー
【発明の詳細な説明】
【技術分野】
【０００１】
本発明は、主に家庭で使用されるハンドミキサー及びそれに使用するアタッチメントに関する。
【背景技術】
【０００２】
従来のハンドミキサーのアタッチメントは、その回転羽根の全体が細長い金属板で籠状に形成され、各回転羽根は細長い金属板でコ字形に形成されている（例えば、特許文献１参照。）。また、攪拌翼装置が、回転軸線方向に直交する平面内で取付けられた翼支持部材と、回転軸に離間して翼支持部材に取付けられた板状の攪拌翼とから構成され、この攪拌翼の翼支持部材側取り付け端部は、回転軸線に直交する平面内で翼支持部材の中心軸に対して傾斜するとともに、攪拌翼の途中は回転軸線に直交する平面に対して傾斜したものもある（例えば、特許文献２参照。）。
【特許文献１】特開平９−３７９６９号公報
【特許文献２】特開平９−１５５１７６号公報
【発明の開示】
【発明が解決しようとする課題】
【０００３】
特許文献１の４つの個々の回転羽根は、細長い金属板でそれぞれコ字形に曲げて形成した形状をなしている。そして一般家庭における調理の際の攪拌には、通常攪拌羽根に対してかなり大きなボウルなどの攪拌容器が用いられる。そのために、コ字形の縦方向部分である攪拌主部は被攪拌物を切り裂くように回転するからその付近のみを攪拌するだけである。したがって、満遍なく攪拌するためにはハンドミキサーを持って攪拌羽根を攪拌容器内を満遍なく移動させながら使用する必要がある。しかし、重いハンドミキサーを持ちながら攪拌作業をすることは、一般の主婦にとって負担となっている。そこで、本発明はハンドミキサーを持ちながら攪拌する場合であっても効率良く短時間で攪拌作業が終了することができて、主婦等の負担にならないハンドミキサー及びそのアタッチメントを提供することを目的とする。また、ハンドミキサーを置いたまま攪拌作業をした場合であっても、被攪拌物を満遍なく攪拌することができるハンドミキサー及びそのアタッチメントを提供することを目的とする。
【０００４】
特許文献２の攪拌翼は、攪拌翼が傾斜しているので攪拌翼の回転方向によって被攪拌物に上昇流又は下降流を発生させることができる。このような構成の攪拌翼はこの特許文献２の図面で示されたように、攪拌容器が深いものであるときは効果的に攪拌することができる。しかし、この特許文献２は攪拌翼全体が同じ角度で傾斜していて被攪拌物に発生させる流れは常に一定方向を向いているから、比較的底が浅く上面が広く形成されたボウルのような攪拌容器に使用するときは、被攪拌物全体を攪拌容器内で攪拌することについて優れた効率性を得られない。そこで、本発明は比較的底が浅く上面が広く形成されたボウルのような攪拌容器で攪拌するときも被攪拌物を効率的に満遍なく攪拌できるハンドミキサー及びそのアタッチメントを提供することを目的とする。
【課題を解決するための手段】
【０００５】
本発明の請求項１はアタッチメントであって、駆動装置に連結される回転軸と、その回転軸に取付けられた少なくとも２つの攪拌羽根とを含み、各攪拌羽根はその上端部と下端部の間の途中部分が回転軸線から離れるように膨出し、且つ各攪拌羽根はその上端部が下端部に対して回転軸線を中心に所定角度回転させたようにねじれている構成であり、請求項７はそのような２つのアタッチメントを取付けたハンドミキサーである。
【０００６】
請求項２は、請求項１において各攪拌羽根のねじれ方向は同じである構成であり、請求項８は１つのアタッチメントのすべての攪拌羽根が同じ方向にねじれている構成である請求項７記載のハンドミキサーである。また、請求項９は２つのアタッチメントの攪拌羽根のねじれ方向が異なっている請求項８記載のハンドミキサーであり、請求項１０は２つのアタッチメントの攪拌羽根のねじれ方向が同じである請求項８記載のハンドミキサーである。
【０００７】
請求項３は、２つの攪拌羽根が一つの環状体をなし、その環状体の径方向に延びる回転軸線を中心にその２つの攪拌羽根が対称的に形成されている要素が請求項１又は請求項２に限定的に付加された構成であり、請求項１１はそのようなアタッチメントの限定的な要素が請求項７乃至請求項１０に限定的に付加された構成である。
【０００８】
請求項４は、前記攪拌羽根のねじれの所定回転角度が１０〜１００度である要素が請求項１乃至請求項３に限定的に付加された構成であり、請求項１２はそのようなアタッチメントの限定的な要素が請求項７乃至請求項１１に限定的に付加された構成である。
【０００９】
請求項５は、攪拌羽根が非ねじれ部を有し、この非ねじれ部は攪拌羽根の上端部及び下端部から外方に所定の長さで延びており、両非ねじれ部の間の攪拌主部がねじれることにより攪拌羽根がねじれている要素が請求項１乃至請求項４に限定的に付加された構成である。請求項１３は、そのようなアタッチメントの限定的な要素が請求項７乃至請求項１２に限定的に付加された構成である。
【００１０】
請求項６は、その非ねじれ部が外方に水平に延びている構成であり、請求項１４はそのようなアタッチメントの限定的な要素が請求項１３に限定的に付加された構成である。
【００１１】
請求項１５は、２つのアタッチメントがそれぞれ同数の攪拌羽根を有するという要素が請求項７乃至請求項１４に限定的に付加された構成である。請求項１６は、２つのアタッチメントのそれぞれの攪拌羽根の回転域が部分的に共通し、共通回転域において一方の回転羽根は他方の２つの回転羽根の間に入るように回転するという要素が請求項７乃至請求項１５に限定的に付加された構成である。
【発明の効果】
【００１２】
請求項１は、各攪拌羽根がその上端部が下端部に対して回転軸線を中心に所定角度回転させたようにねじれている構成である。攪拌羽根は通常金属板で形成され、特殊な場合としては２本又は３本の金属線を並べたものや、それよりも多くの金属線を並べて板状に形成したものを使用する。攪拌羽根がねじれていることにより攪拌羽根の上端部と下端部の間には必ずねじれ面が形成される。したがって、回転羽根がねじれ面であるということは、回転羽根がその回転方向に関し傾斜面となって被攪拌物に当たるから効率的に攪拌することができる。また、攪拌は文字通り被攪拌物をかき回すことであって、例えば卵の黄身と卵白をある程度混ぜることが該当する。これに対して、一定の調理においては被攪拌物をかき回してある程度混ぜただけでは足らず、例えばマヨネーズのように複数の種類の被攪拌物が混ざって一つのものとなるように混合することが必要な場合もある。請求項１は、被攪拌物を完全に混合するときも効率的に行うことができる。さらに、卵白などを泡立てるときにも効率良く行うことができる。請求項７も同様の効果を得ることができる。
【００１３】
請求項２は、各攪拌羽根のねじれ方向が同じである。攪拌羽根の上端部と下端部の中ほどを境とした上側ねじれ面と下側ねじれ面は、攪拌羽根の回転方向に関し相反する向きに傾斜している。したがって、上側ねじれ面によって被攪拌物は回転羽根の外側又は内側のいずれか一方に流れ、下側ねじれ面によって被攪拌物は上側ねじれ面と反対側に流れる。この結果、内側に流れた被攪拌物は攪拌羽根に囲まれて効率的に十分に混合され、外側に流れた被攪拌物はその反射的な作用として攪拌容器の内面付近の被攪拌物を攪拌容器の中央方向に押し流すので満遍なく攪拌することができる。請求項８はハンドミキサーであって１つのアタッチメントについての回転羽根はすべて同じ方向にねじれている構成である。したがって，請求項２と同様の効果を得ることができる。
【００１４】
請求項９は２つのアタッチメントの攪拌羽根のねじれ方向が異なっている請求項８記載のハンドミキサーである。通常のハンドミキサーの２つのアタッチメントは互いに逆方向に回転する。したがって、双方のアタッチメントの上側ねじれ面は共に被攪拌物を回転羽根の外側又は内側のいずれか同じ側に流れるように作用し、下側ねじれ面は被攪拌物をそれとは反対の側に流れるように作用する。この結果、２つのアタッチメントが同じ高さの位置で被攪拌物が回転羽根の外側又は内側のいずれか一方に流れ、他の同じ高さの位置で被攪拌物はそれと反対側に流れる。この結果、攪拌羽根の内側に流れた被攪拌物は他のアタッチメントの攪拌羽根の内側に流れた被攪拌物と共に効率的に十分に混合され、双方のアタッチメントの攪拌羽根の外側に流れた被攪拌物はその反射的な作用として攪拌容器の内面付近の被攪拌物を攪拌容器の中央方向に強力に押し流すので満遍なく効率的に攪拌することができる。
【００１５】
請求項１０は２つのアタッチメントの攪拌羽根のねじれ方向が同じである請求項８記載のハンドミキサーである。前述したように、通常のハンドミキサーの２つのアタッチメントは互いに逆方向に回転する。したがって、同じ高さにおいて一方のアタッチメントは回転羽根の内側に被攪拌物が流れるように作用し、他方は回転羽根の外側に被攪拌物が流れるように作用する。粘性率が高いマヨネーズなどの被攪拌物を攪拌混合するときは回転羽根の内側にある被攪拌物の動きが悪いので効率よく混合できないが、他方のアタッチメントの回転羽根によって外側から被攪拌物が流入するので、回転羽根の内側の被攪拌物を強制的に移動させて効率よく混合できる。
【００１６】
請求項３は、２つの攪拌羽根が一つの環状体をなし、その環状体の径方向に延びる回転軸線を中心にその２つの攪拌羽根が対称的に形成されている構成である。このような構成であると、個々の攪拌羽根をねじらなくても、２つの攪拌羽根の元となる真っ直ぐな１枚の長い金属板をねじりながらあるいはねじってから、その両端部をそれぞれ回転軸の同じ高さの位置に固着すればねじれた回転羽根を得ることができるので製造が簡単である。請求項１１も同様の効果を得ることができる。環状体とは輪ゴムのように切れ目なく一体に連なっているもののほか、元は細長い部材を環状に折り曲げて両端を隙間のないように結合するものも含む。あるいは、それらのように形成された環状体の一部に切れ目を入れたものも含まれる。
【００１７】
請求項４は、攪拌羽根のねじれの所定回転角度が１０〜１００度である。この範囲のねじれが効率的に攪拌混合することができる。請求項１２も同様の効果を得ることができる。
【００１８】
請求項５は、攪拌羽根が非ねじれ部を有し、この非ねじれ部は攪拌羽根の上端部及び下端部から外方に所定の長さで延びており、両非ねじれ部の間の攪拌主部がねじれることにより攪拌羽根がねじれている。したがって、攪拌羽根はほぼ縦方向に延びる攪拌主部が攪拌作用をなすから、被攪拌物は主に水平方向の移動によって攪拌される。また、攪拌主部は非ねじれ部の存在によって回転軸線から所定の距離を置いて離れている。この結果、攪拌容器がボウルのように底が比較的浅く上面が広い場合に被攪拌物を幅広く移動させることができるから効率的に攪拌できる。請求項１３も同様の効果を得ることができる。
【００１９】
請求項６は、非ねじれ部が外方に水平に延びている構成である。したがって、攪拌羽根はコ字形あるいはそれに近い形状となり、攪拌主部はほぼ縦方向に延びて攪拌作用をなすから、被攪拌物は主に水平方向の移動によって攪拌され請求項５と同様の効果を得ることができる。請求項１４も同様の効果を得ることができる。
【００２０】
請求項１５は、２つのアタッチメントがそれぞれ同数の攪拌羽根を有する。通常２つのアタッチメントは反対方向に回転する構成である。したがって、２つのアタッチメントのそれぞれの攪拌羽根の回転域が部分的に共通するように回転させるために、共通回転域において一方の回転羽根が他方の２つの回転羽根の間に入るように回転させることによって、双方のアタッチメントの回転羽根が当たることがない。
【００２１】
請求項１６は、２つのアタッチメントのそれぞれの攪拌羽根の回転域が部分的に共通し、共通回転域において一方の回転羽根は他方の２つの回転羽根の間に入るように回転する構成である。攪拌羽根によって内側に流入した被攪拌物は混合されるが、その混合されつつある被攪拌物の中に他方のアタッチメントの攪拌羽根が入り込むので、被攪拌物を非常に効率的に混合することができる。
【発明を実施するための最良の形態】
【００２２】
次に発明を実施するための最良の形態について説明する。アタッチメント１はハンドミキサーのモーターに連結される回転軸２に４つの攪拌羽根３，３，４，４が取付けられている。攪拌羽根３と攪拌羽根４は同じように形成されているので、以下攪拌羽根３について説明する。１つの攪拌羽根３はそれらの上端部５及び下端部６を基点として回転軸２から離れるように膨出しており、この膨出部分が攪拌作用をなす。攪拌羽根３は、それを上から見てその上端部５と下端部６が同じ方向を向いた状態から、下端部６を固定して回動軸線を中心に上端部５を反時計回りにほぼ４５度回転したようにねじれている。回転角度は４５度に限定されないことは勿論であって、好ましくは４０度から５０度の間の角度が望ましいが１０度から１００度の範囲であればどの角度でも差し支えない。上端部５のねじれの回転は時計回りの方向であってもよいのは勿論である。なお、攪拌羽根の数は好ましくは４つであるがこれに限定されないことは勿論であって２〜８枚であればよい。
【００２３】
攪拌羽根３にその上端部５及び下端部６から所定の長さに亘って外方に延びる水平な非ねじれ部７，８が存在する。したがって、攪拌羽根３のねじれは非ねじれ部以外の部分、非ねじれ部７，８の間に縦方向に延びる攪拌主部９に生じている。この実施の形態における上端部５から下端部６までの長さは７０ｍｍであるがこの数値に限定されないことは勿論であって１５〜２００ｍｍの範囲であればよい。文字通り攪拌主部９が主に攪拌作用をなすのであるが、その攪拌主部９は非ねじれ部７，８の長さだけ回転軸線から離れるので広い範囲で攪拌作用をなすことができる。攪拌主部９は図２で示すようにやや外側に円弧状に膨らみ、上下の中央部で最大に膨出しているように形成されることが好ましいが、本発明はこれに限定されるものでなく例えば最大に膨出した部分が中央部よりも上方又は下方であっても差し支えない。この実施の形態における回転軸線から最大に膨出した部分までの距離は２２ｍｍであってこの数値が好ましいがこれに限定されないことは勿論であって８〜１００ｍｍの範囲であればよい。膨出の度合は一定で攪拌主部９は垂直方向に真っ直ぐに延びるように形成してもよい。
【００２４】
前述したように攪拌主部９にねじれが生じ、図４及び図６に示すように、回転軸線から攪拌主部の上方部分断面１０及び下方部分断面１１の中心に引いた水平直線１２，１３に対し前記両断面１０，１１は傾斜している。また、両断面１０，１１の傾斜方向はアタッチメント１の回転方向に関し反対を向いている。したがって、例えばアタッチメント１が時計回りに回転したときに、攪拌主部９の上方部分は非攪拌物が攪拌羽根３の内側に流れるように作用し、攪拌主部９の下方部分は被攪拌物が攪拌羽根３の外側に流れるように作用する。
【００２５】
前述したように上方部分断面１０及び下方部分断面１１はそれぞれアタッチメント１の回転方向に関し傾斜しているが、図５に示すように回転軸線から攪拌羽根の中央部分断面１４の中心に引いた水平直線１５に対し前記中央部分断面１４は直角である。
【００２６】
一対の攪拌羽根３，３は１枚の細長い金属板を環状に曲げることにより形成されており、回転軸２に取付けられた回転羽根３，３の下端部６，６は一体に連続し、上端部５，５はそれぞれ独自に回転軸２に固着されている。回転羽根３をねじる方法はいくつか考えられる。例えば、最初に真っ直ぐ細長い金属板の中央を回転軸２の先端に固着する。そのときに他の一対の回転羽根４，４を回転羽根３，３と十字形をなすように重ねて回転軸２の先端に固着する。固着方法は、例えば回転軸２の先端から細い突起を突出させ、その突起を細長い金属板の中央に設けた嵌合孔に嵌合し、嵌合孔からはみ出した突起の頭を潰して固定する。そしてその金属板を一対の回転羽根３，３がねじれる前の状態と同じほぼコ字形が向き合う形状に折り曲げる。このとき、回転羽根３をそれを上から見てその上端部５と下端部６が同じ方向を向く。そのあとで、回動軸２及びその先端に固着された下端部６を固定したままで回動軸線を中心に上端部５を反時計回りに回転した後に回転軸２に固着する。上端部５を回転軸２に固着する方法としては、溶接やろう付けによる。これにより、回転羽根３にねじれが生じる。
【００２７】
回転羽根３，３をねじる他の方法は、前述したように回転羽根３，３及び回転羽根４，４を十字形になるように中央部で重ねて回転軸２に固着する。次に、回転羽根３を曲げることなくねじりだけを加える。ねじりを加えた状態のまま回転羽根が回転軸２に対して膨出するように上方に曲げて、回転羽根の上端部５が水平になるように回転軸２に固着する。これとは別に、ねじりと曲げを同時に行いながら回転羽根の上端部５を回転軸２に固着してもよい。この結果、上端部５が下端部６に対して回転したように回転羽根３は自然とねじれを生じるので所望の回転羽根を得ることができる。
【００２８】
図７は２つのアタッチメント１，１５を装着したハンドミキサー１６である。ハンドミキサー１６にはモーターが内装されており、モーターの動力を伝える駆動軸にアタッチメントの回転軸２を連結することによりアタッチメントは回転する。なお、符号１９はモーターのスイッチである。アタッチメント１の回転羽根３，４はすべてがそれぞれ同じ方向にねじれており、アタッチメント１５の回転羽根１７，１８はすべてが回転羽根３，４と逆方向にねじれている。アタッチメント１とアタッチメント１５は使用時に相反する向きに回転する。双方の回動軸２，２の間にある回転羽根４，１８は、図７に示すように回転軸２，２の間で重なるように描かれている。このことは、回転羽根３，４の回転によって生じる回転域と回転羽根１７，１８の回転域とが部分的に重複し、互いに一方のアタッチメントの回転羽根は他方のアタッチメントの２つの回転羽根の間に入るように回転することを意味している。２つの回転域が重複しないようにアタッチメントを離して設定してもよいことは勿論である。
【００２９】
図８はハンドミキサー１６の使用状態を示している。ハンドミキサー１６は置き台２０を用いることによって斜めに支持された状態で使用することができる。置き台２０は上部が開放された矩形の箱状に形成されており、置き台２０にハンドミキサーの尻部２１を挿入してハンドミキサーを斜めの状態で支持できるように、その尻部２１の形状に合わせて幅の狭い支持板部２２が置き台の両側板部２３の内面に一体に設けられている。支持板部２２は、図８の点線で示すようにハンドミキサーの尻部２１の外形に合うようにほぼＶ字形をなしおり、ハンドミキサーの下方段部２６，２６が支持板部２２に当たることによりハンドミキサー１は支持される。また、置き台２０はハンドミキサーの尻部２１が挿入し得る幅を有している。
【００３０】
前記置き台の支持板部２２のＶ字形部分はさらに置き台２０の上端に達するまで延びており、そこから水平にさらに置き台２０の前端と後端までそれぞれ延びて前端支持板部２４と後端支持板部２５を形成している。ハンドミキサー１６を使用しないときはアタッチメント１を取り外してから前記前端支持板部２４と後端支持板部２５の上にハンドミキサー１６を載せて保管する。このときに、置き台２０は附属品の収納容器として使用することができるので、取り外したアタッチメント１やボウル支持具２８などを置き台２０の中に収納する。
【００３１】
ハンドミキサーを置き台２０に斜めに置いて使用するときは、前述したようにハンドミキサーの下方段部２６，２６を支持板部２２に支持させる。ボウル２７は底が丸いので、その形状に合わせた凹面状の支持面３０を有するボウル支持具２８にボウル２７をのせる。ボウル支持具の支持面３０にはのせたボウル２７が滑ることを防止するためにエラストマーの滑り防止片が固着されている。図８に示すようにボウル２７は斜めに置いて使用してもよく、あるいは真っ直ぐに置いて使用してもよい。ボウル２７を斜めに置いたときに安定するように、凹面状の支持面３０の最下点３１は図８で支持面３０の中心よりも右側に偏倚している。アタッチメント１を回転するときは把持部２９を手で握ってスイッチ１９を操作すればよい。図８に示すようにハンドミキサー１６を置き台２０に置き、ボウル２７を斜めに置いて使用することができる。このように使用すれば回転羽根はボウル２７内に斜めに入って回転羽根全体の高さが垂直の場合よりも低くなるので、回転羽根全体が被攪拌物の中に浸って効率よく攪拌することができる。使用方法はこれに限定されないことは勿論であり、ハンドミキサーを手で持ち上げて使用してもよい。
【図面の簡単な説明】
【００３２】
【図１】アタッチメントの斜視図
【図２】アタッチメントの正面図
【図３】図２におけるＡ−Ａ断面図
【図４】図２におけるＢ−Ｂ断面図
【図５】図２におけるＣ−Ｃ断面図
【図６】図２におけるＤ−Ｄ断面図
【図７】アタッチメントを装着したハンドミキサーの側面図
【図８】ハンドミキサーの使用状態を示す一部断面正面図
【符号の説明】
【００３３】
１  アタッチメント
２  回転軸
３  攪拌羽根
４  攪拌羽根
５  上端部
６  下端部
７  非ねじれ部
８  非ねじれ部
９  攪拌主部
１０  上方部分断面
１１  下方部分断面
１２  水平直線
１３  水平直線
１４  中央部分断面
１５  アタッチメント
１６  ハンドミキサー
１７  回転羽根
１８  回転羽根
１９  スイッチ
２０  置き台
２１  尻部
２２  支持板部
２３  側板部
２４  前端支持板部
２５  後端支持板部
２６  下方段部
２７  ボウル
２８  ボウル支持具
２９  把手部
３０  支持面
３１  最下点
【図１】
2005168559.tif 000003
【図２】
2005168559.tif 000004
【図３】
2005168559.tif 000005
【図４】
2005168559.tif 000006
【図５】
2005168559.tif 000007
【図６】
2005168559.tif 000008
【図７】
2005168559.tif 000009
【図８】
2005168559.tif 000010